(57)【要約】【課題】複数のユーザーの間で、直観的な容易な操作で情報を共有することが可能な画像処理装置を提供する。【解決手段】画像処理装置のＣＰＵ１０は、複数の宛先を指定した宛先情報と、複数の宛先で共有する情報とを受信するための第１受信部１０１と、複数の宛先を規定したシェアリングリストを作成するための第１作成部１０２と、共有する情報をシェアリングリストと関連付けてメモリー１６に格納するための格納部１０３と、シェアリングリストで規定される宛先に対して、共有する情報があることを通知するための第１送信部１０５と、通知された宛先から共有する情報の要求を受け付けると、共有する情報を要求元である宛先に対して送信するための第２送信部１０８とを含む。【選択図】図１６
2013016067.tif 000002
【特許請求の範囲】
【請求項１】
各々タッチパネルを備えた複数の端末と、情報処理装置とを含むシステムであって、
前記端末は、
複数の端末の宛先を指定した宛先情報と、前記複数の端末で共有する情報とを、前記タッチパネルで指と指との間隔を縮める動作により指定するための手段と、
前記宛先情報と前記情報とを、前記情報処理装置へ送信するための送信手段とを備え、
前記情報処理装置は、
複数の端末の宛先を指定した宛先情報と、前記複数の端末で共有する情報とを取得すると、前記複数の端末の宛先を規定したシェアリングリストを作成するためのシェアリングリスト作成手段と、
前記共有する情報を前記シェアリングリストと関連付けて記憶するための記憶手段と、
前記シェアリングリストで規定される前記端末の宛先に対して、前記共有する情報があることを通知するための通知手段と、
前記通知された前記端末から前記共有する情報の要求を受け付けると、前記共有する情報を前記要求元である端末に対して送信するための送信手段とを備える、情報処理システム。
【請求項２】
前記通知を受けた前記端末は、前記通知手段による通知を受信後に、前記タッチパネル上で指と指との間隔を広げる動作を検出した場合には、前記情報処理装置に対し、前記情報の要求を送信する、請求項１に記載の情報処理システム。
【請求項３】
前記情報処理装置は、前記要求元の装置が前記シェアリングリストで規定される前記宛先に該当するか否かを認証するための認証手段をさらに備え、
前記認証に成功した場合に、前記要求元である前記端末に対して前記共有する情報を送信する、請求項１または２に記載の情報処理システム。
【請求項４】
前記情報処理装置は、前記情報の要求を受け付けると、前記記憶手段に記憶されている前記シェアリングリストの中から、宛先として前記要求元の端末が規定されるシェアリングリストを特定し、前記特定された前記シェアリングリストに関連付けて記憶されている前記共有する情報を前記要求元に対して送信する、請求項１〜３のいずれかに記載の情報処理システム。
【請求項５】
前記シェアリングリストは、さらに、前記宛先ごとに前記共有する情報に対する処理権限を規定し、
前記情報処理装置は、前記要求元に対して規定された前記処理権限に応じた送信方法で前記要求元に対して前記共有する情報を送信する、請求項１〜４のいずれかに記載の情報処理システム。
【請求項６】
前記情報処理装置は画像処理手段をさらに備え、
前記共有する情報に対して、前記要求元に対して規定された前記処理権限に応じた画像処理を施してから前記要求元に対して前記画像処理後の前記共有する情報を送信する、請求項５に記載の情報処理システム。
【請求項７】
前記処理権限は、前記宛先情報において前記複数の宛先のそれぞれに対して規定される宛先の種別に対応して規定される、請求項５または６に記載の情報処理システム。
【請求項８】
前記端末は、前記情報処理装置から、前記記憶手段に記憶されている前記シェアリングリストに関する情報を取得するための取得手段をさらに備え、
前記取得手段により取得された前記シェアリングリストに関する情報に基づいて前記シェアリングリストを指定し、前記複数の端末で共有する情報と共に前記情報処理装置へ送信する、請求項１〜７のいずれかに記載の情報処理システム。
【請求項９】
前記情報処理装置は、前記記憶手段に記憶された前記シェアリングリストを更新する指示を受け付けると、前記指示された内容で前記シェアリングリストを更新する、請求項１〜８のいずれかに記載の情報処理システム。
【請求項１０】
複数の端末の宛先を指定した宛先情報と、前記複数の端末で共有する情報とを取得すると、前記複数の端末の宛先を規定したシェアリングリストを作成するためのシェアリングリスト作成手段と、
前記共有する情報を前記シェアリングリストと関連付けて記憶するための記憶手段と、
前記シェアリングリストで規定される前記端末の宛先に対して、前記共有する情報があることを通知するための通知手段と、
前記通知された前記端末から前記共有する情報の要求を受け付けると、前記共有する情報を前記要求元である端末に対して送信するための送信手段とを備える、情報処理装置。
【請求項１１】
各々タッチパネルを備えた複数の端末と情報処理装置とを含むシステムに含まれる、前記端末に、送信処理を実行させるためのプログラムであって、
前記タッチパネル上における、指と指との間隔を縮める動作による操作入力を検出するステップと、
前記操作入力で指定される、複数の端末の宛先を指定した宛先情報と前記複数の端末で共有する情報とを特定するステップと、
前記宛先情報と前記共有する情報とを前記情報処理装置へ送信するステップとを前記端末に実行させる、送信プログラム。
【請求項１２】
各々タッチパネルを備えた複数の端末と情報処理装置とを含むシステムに含まれる、前記端末に、情報を要求する処理を実行させるためのプログラムであって、
前記情報処理装置から、前記複数の端末で共有する情報があるとの通知を受信するステップと、
前記受信の後に、前記タッチパネル上で指と指との間隔を広げる動作による操作入力を検出するステップと、
前記情報処理装置に対し、前記共有する情報の送信を要求するステップとを前記端末に実行させる、要求プログラム。
【請求項１３】
各々タッチパネルを備えた複数の端末と情報処理装置とを含むシステムに含まれる、前記情報処理装置に、情報を管理する処理を実行させるためのプログラムであって、
前記複数の端末のうちの１つの端末から、複数の端末の宛先を指定した宛先情報と、前記複数の端末で共有する情報とを含む情報を受信するステップと、
前記複数の端末の宛先を規定したシェアリングリストを作成するステップと、
前記共有する情報を前記シェアリングリストと関連付けて記憶装置に格納するステップと、
前記シェアリングリストで規定される前記端末の宛先に対して、前記共有する情報があることを通知するステップと、
前記通知された前記端末から前記共有する情報の要求を受け付けるステップと、
前記要求に応じて、前記共有する情報を前記要求元である端末に対して送信するステップとを前記情報処理装置に実行させる、管理プログラム。
【発明の詳細な説明】
【技術分野】
【０００１】
この発明は、情報処理システム、情報処理装置、送信プログラム、要求プログラム、および管理プログラムに関し、特に、タッチパネルを有する端末を含んだ情報処理システム、該情報処理システムに含まれる情報処理装置、送信プログラム、要求プログラム、および管理プログラムに関する。
【背景技術】
【０００２】
従来、ファイルなどを複数人のメンバーでシェアーしようとした場合、シェアーしたい人が共通で使用できるサーバーに共有フォルダーを作成し、該共有フォルダーにアクセス権の設定を行なって各メンバーのアクセスを許可することで、これらメンバーが共有フォルダーにアクセスして所望するファイルを取得することができ、ファイルなどがこれらメンバーで共有される状態となっていた。
【０００３】
たとえば特開２００７−６７８３８号公報（以下、特許文献３）は、共有メディアに共有情報を設定し、登録ユーザーに許可されたフォルダー情報を通知する技術を開示している。
【先行技術文献】
【特許文献】
【０００４】
【特許文献１】特開２００９−２７６９５７号公報
【特許文献２】特開２００７−３０４６６９号公報
【特許文献３】特開２００７−６７８３８号公報
【発明の概要】
【発明が解決しようとする課題】
【０００５】
しかしながら、上述の方法では、共有フォルダーを作成したり、各メンバーのアクセス権を設定したり、といった、煩雑な作業が必要となる、という問題があった。
【０００６】
本発明はこのような問題に鑑みてなされたものであって、複数のユーザーの間で、直観的な容易な操作で情報を共有することが可能な情報処理システム、情報処理装置、送信プログラム、要求プログラム、および管理プログラムを提供することを目的としている。
【課題を解決するための手段】
【０００７】
上記目的を達成するために、本発明のある局面に従うと、情報処理システムは、各々タッチパネルを備えた複数の端末と、情報処理装置とを含むシステムである。端末は、複数の端末の宛先を指定した宛先情報と、複数の端末で共有する情報とを、タッチパネルで指と指との間隔を縮める動作により指定するための手段と、宛先情報と上記情報とを、情報処理装置へ送信するための送信手段とを備える。情報処理装置は、複数の端末の宛先を指定した宛先情報と、複数の端末で共有する情報とを取得すると、複数の端末の宛先を規定したシェアリングリストを作成するためのシェアリングリスト作成手段と、共有する情報をシェアリングリストと関連付けて記憶するための記憶手段と、シェアリングリストで規定される端末の宛先に対して、共有する情報があることを通知するための通知手段と、通知された端末から共有する情報の要求を受け付けると、共有する情報を要求元である端末に対して送信するための送信手段とを備える。
【０００８】
好ましくは、上記通知を受けた端末は、通知手段による通知を受信後に、タッチパネル上で指と指との間隔を広げる動作を検出した場合には、情報処理装置に対し、上記情報の要求を送信する。
【０００９】
好ましくは、情報処理装置は、要求元の装置がシェアリングリストで規定される宛先に該当するか否かを認証するための認証手段をさらに備え、認証に成功した場合に、要求元である端末に対して共有する情報を送信する。
【００１０】
好ましくは、情報処理装置は、情報の要求を受け付けると、記憶手段に記憶されているシェアリングリストの中から、宛先として要求元の端末が規定されるシェアリングリストを特定し、特定されたシェアリングリストに関連付けて記憶されている共有する情報を要求元に対して送信する。
【００１１】
好ましくは、シェアリングリストは、さらに、宛先ごとに共有する情報に対する処理権限を規定し、情報処理装置は、要求元に対して規定された処理権限に応じた送信方法で要求元に対して共有する情報を送信する。
【００１２】
より好ましくは、情報処理装置は画像処理手段をさらに備え、共有する情報に対して、要求元に対して規定された処理権限に応じた画像処理を施してから要求元に対して画像処理後の共有する情報を送信する。
【００１３】
より好ましくは、処理権限は、宛先情報において複数の宛先のそれぞれに対して規定される宛先の種別に対応して規定される。
【００１４】
好ましくは、端末は、情報処理装置から、記憶手段に記憶されているシェアリングリストに関する情報を取得するための取得手段をさらに備え、取得手段により取得されたシェアリングリストに関する情報に基づいてシェアリングリストを指定し、複数の端末で共有する情報と共に情報処理装置へ送信する。
【００１５】
好ましくは、情報処理装置は、記憶手段に記憶されたシェアリングリストを更新する指示を受け付けると、指示された内容でシェアリングリストを更新する。
【００１６】
本発明の他の局面に従うと、情報処理装置は、複数の端末の宛先を指定した宛先情報と、複数の端末で共有する情報とを取得すると、複数の端末の宛先を規定したシェアリングリストを作成するためのシェアリングリスト作成手段と、共有する情報をシェアリングリストと関連付けて記憶するための記憶手段と、シェアリングリストで規定される端末の宛先に対して、共有する情報があることを通知するための通知手段と、通知された端末から共有する情報の要求を受け付けると、共有する情報を要求元である端末に対して送信するための送信手段とを備える。
【００１７】
本発明の他の局面に従うと、送信プログラムは、各々タッチパネルを備えた複数の端末と情報処理装置とを含むシステムに含まれる端末に、送信処理を実行させるためのプログラムであって、タッチパネル上における、指と指との間隔を縮める動作による操作入力を検出するステップと、上記操作入力で指定される、複数の端末の宛先を指定した宛先情報と複数の端末で共有する情報とを特定するステップと、宛先情報と共有する情報とを情報処理装置へ送信するステップとを端末に実行させる。
【００１８】
本発明のさらに他の局面に従うと、要求プログラムは、各々タッチパネルを備えた複数の端末と情報処理装置とを含むシステムに含まれる端末に、情報を要求する処理を実行させるためのプログラムであって、情報処理装置から、複数の端末で共有する情報があるとの通知を受信するステップと、上記受信の後に、タッチパネル上で指と指との間隔を広げる動作による操作入力を検出するステップと、情報処理装置に対し、共有する情報の送信を要求するステップとを端末に実行させる。
【００１９】
本発明のさらに他の局面に従うと、管理プログラムは、各々タッチパネルを備えた複数の端末と情報処理装置とを含むシステムに含まれる情報処理装置に、情報を管理する処理を実行させるためのプログラムであって、複数の端末のうちの１つの端末から、複数の端末の宛先を指定した宛先情報と、複数の端末で共有する情報とを含む情報を受信するステップと、複数の端末の宛先を規定したシェアリングリストを作成するステップと、共有する情報をシェアリングリストと関連付けて記憶装置に格納するステップと、シェアリングリストで規定される端末の宛先に対して、共有する情報があることを通知するステップと、通知された端末から共有する情報の要求を受け付けるステップと、要求に応じて、共有する情報を要求元である端末に対して送信するステップとを情報処理装置に実行させる。
【発明の効果】
【００２０】
この発明によると、複数のユーザーの間で、直観的な容易な操作で情報を共有することが可能となる。
【図面の簡単な説明】
【００２１】
【図１】実施の形態にかかる画像処理システムの構成の具体例を示す図である。
【図２】画像処理システムに含まれるＭＦＰ（Multi-Function Peripheral）のハードウェア構成の具体例を示す図である。
【図３】画像処理システムに含まれる携帯端末のハードウェア構成の具体例を示す図である。
【図４】画像処理システムに含まれるサーバーのハードウェア構成の具体例を示す図である。
【図５】「つまむ」操作を説明するための図である。
【図６】「離す」操作を説明するための図である。
【図７】画像処理システムでの動作の流れを表わした図である。
【図８】携帯端末の機能構成の具体例を示すブロック図である。
【図９】つまむ操作によって指定されるアイコンを特定する方法の具体例を説明するための図である。
【図１０】つまむ操作によって指定されるアイコンを特定する方法の具体例を説明するための図である。
【図１１】つまむ操作によって指定されるアイコンを特定する方法の具体例を説明するための図である。
【図１２】つまむ操作によって指定されるアイコンを特定する方法の具体例を説明するための図である。
【図１３】つまむ操作によって指定されるアイコンを特定する方法の具体例を説明するための図である。
【図１４】携帯端末の操作パネルに表示されたメール画面の具体例を表わす図である。
【図１５】携帯端末の操作パネルでの通知メールの表示の具体例を表わす図である。
【図１６】ＭＦＰの機能構成の具体例を示すブロック図である。
【図１７】携帯端末での動作の具体例を示すフローチャートである。
【図１８】ＭＦＰでの動作の具体例を示すフローチャートである。
【図１９】シェアリングリストの利用方法の一例を説明するための図である。
【図２０】変形例にかかる携帯端末での動作の具体例を示すフローチャートである。
【図２１】変形例にかかる携帯端末での動作の具体例を表わすフローチャートである。
【発明を実施するための形態】
【００２２】
以下に、図面を参照しつつ、本発明の実施の形態について説明する。以下の説明では、同一の部品および構成要素には同一の符号を付してある。それらの名称および機能も同じである。
【００２３】
＜システム構成＞
図１は、本実施の形態にかかる画像処理システムの構成の具体例を示す図である。
【００２４】
図１を参照して、本実施の形態にかかる画像処理システムは、画像処理装置の一例としてのＭＦＰ（Multi-Function Peripheral）１００と、端末装置として複数の携帯端末３００Ａ，３００Ｂと、サーバー５００とを含み、これらがＬＡＮ（Local Area Network）などのネットワークで接続されている。携帯端末３００Ａ，３００Ｂを代表させて携帯端末３００と称する。
【００２５】
ネットワークは有線であっても無線であってもよい。一例として、図１に示されるように、ＭＦＰ１００とサーバー５００とが有線ＬＡＮに接続され、該有線ＬＡＮにさらに無線ＬＡＮアクセスポイント７００が含まれ、携帯端末３００が無線ＬＡＮアクセスポイント７００と無線ＬＡＮで接続されている例が挙げられる。
【００２６】
画像処理装置は操作入力を受け付けるための構成としてタッチパネルを有するものであればＭＦＰに限定されず、どのような画像処理装置であってもよい。他の例として、複写機、プリンター、ファクシミリ装置などであってもよい。
【００２７】
携帯端末３００は操作入力を受け付けるための構成としてタッチパネルを有するものであればどのような装置であってもよい。たとえば、タッチパネルを備えた携帯電話機、パーソナルコンピューター、ＰＤＡ（Personal Digital Assistants）であってもよいし、ＭＦＰなどの画像処理装置であってもよい。
【００２８】
＜ＭＦＰの構成＞
図２は、ＭＦＰ１００のハードウェア構成の具体例を示す図である。
【００２９】
図２を参照して、ＭＦＰ１００は、全体を制御するための演算装置であるＣＰＵ（Central Processing Unit）１０と、ＣＰＵ１０で実行されるプログラムなどを記憶するためのＲＯＭ（Read Only Memory）１１と、ＣＰＵ１０でプログラムを実行する際の作業領域として機能するためのＲＡＭ（Random Access Memory）１２と、図示しない原稿台に載置された原稿を光学的に読み取って画像データーを得るためのスキャナー１３と、画像データーを印刷用紙上に固定するためのプリンター１４と、情報を表示したり当該ＭＦＰ１００に対する操作入力を受け付けたりするためのタッチパネルを含んだ操作パネル１５と、画像データーをファイルとして保存するためのメモリー１６と、上記ネットワークを介した通信を制御するためのネットワークコントローラー１７とを含む。
【００３０】
操作パネル１５は、図示しないタッチパネルと操作キー群とを含む。タッチパネルは、液晶表示装置などの表示装置と光学式タッチパネルや静電容量タッチパネルなどの位置指示装置とが重なって構成され、操作画面を表示して、その操作画面上の指示位置を特定する。ＣＰＵ１０は予め記憶されている画面表示をさせるためのデーターに基づいてタッチパネルに操作画面を表示させる。
【００３１】
特定されたタッチパネル上での指示位置（タッチされた位置）や、押下されたキーを示す操作信号はＣＰＵ１０に入力される。ＣＰＵ１０は押下されたキー、または表示している操作画面と指示位置とから操作内容を特定し、それに基づいて処理を実行する。
【００３２】
＜携帯端末の構成＞
図３は、携帯端末３００のハードウェア構成の具体例を示す図である。
【００３３】
図３を参照して、携帯端末３００は、全体を制御するための演算装置であるＣＰＵ３０と、ＣＰＵ３０で実行されるプログラムなどを記憶するためのＲＯＭ３１と、ＣＰＵ３０でプログラムを実行する際の作業領域として機能するためのＲＡＭ３２と、画像データーをファイルとして記憶したり他の情報を記憶したりするためのメモリー３３と、情報を表示したり当該携帯端末３００に対する操作入力を受け付けたりするためのタッチパネルを含んだ操作パネル３４と、図示しない基地局と通信することによる電話回線を介した通信を制御するための通信コントローラー３５と、上記ネットワークを介した通信を制御するためネットワークコントローラー３６とを含む。
【００３４】
操作パネル３４は、ＭＦＰ１００の操作パネル１５と同様の構成であってよい。すなわち、一例として、液晶表示装置などの表示装置と光学式タッチパネルや静電容量タッチパネルなどの位置指示装置とが重なって構成されたタッチパネルを含む。
【００３５】
ＣＰＵ３０は予め記憶されている画面表示をさせるためのデーターに基づいてタッチパネルに操作画面を表示させる。タッチパネルでは操作画面上の指示位置が特定され、その位置を示す操作信号がＣＰＵ３０に入力される。ＣＰＵ３０は表示している操作画面と指示位置とから操作内容を特定し、それに基づいて処理を実行する。
【００３６】
＜サーバーの構成＞
図４は、サーバー５００のハードウェア構成の具体例を示す図である。
【００３７】
図４を参照して、サーバー５００は上述のように一般的なコンピューター等によって構成されるものであり、一例として、全体を制御するための演算装置であるＣＰＵ５０と、ＣＰＵ５０で実行されるプログラムなどを記憶するためのＲＯＭ５１と、ＣＰＵ５０でプログラムを実行する際の作業領域として機能するためのＲＡＭ５２と、ファイルなどを記憶するためのＨＤ（Hard Disk）５３と、上記ネットワークを介した通信を制御するためのネットワークコントローラー５４とを含む。
【００３８】
＜動作概要＞
画像処理システムでは、携帯端末３００Ａで表示されたメール画面におけるつまむ操作によって、当該メールの宛先に指定されたユーザーの携帯端末３００Ｂで離す操作が行なわれると、宛先に指定されたユーザーで当該メールに添付された情報が共有される。
【００３９】
本例では、サーバー５００がメールサーバーとして機能し、ＭＦＰ１００が以降に説明される、つまむ操作に関連した情報のやり取りのためのサーバーとして機能するものとする。
【００４０】
もちろん、サーバー５００が両機能を備えてもよいし、ＭＦＰ１００が両機能を備えてもよい。また、携帯端末３００Ａまたは携帯端末３００Ｂのいずれかにその機能が含まれてもよい。
【００４１】
ここで、つまむ操作および離す操作について説明する。
図５は、「つまむ」操作を説明するための図である。図５を参照して、「つまむ」操作とは、たとえば２本の指などを用いて操作パネル上の２点Ｐ１、Ｐ２を指定し、続いて、その位置から直線状または略直線状に指を近づけ、近づいた位置である２点Ｐ’１、Ｐ’２で２本の指を操作パネルから離す操作を指す。
【００４２】
ＣＰＵは、操作パネル上の２点Ｐ１、Ｐ２が同時に指示され、さらに、それぞれの位置から連続して直線状または略直線状に位置が変化し、元の２点間の間隔よりも短い間隔である２点Ｐ’１、Ｐ’２で両指定がほぼ同時に解除されたことが検出されると、「つまむ」操作がなされたと検出する。
【００４３】
図６は、「離す」操作を説明するための図である。図６を参照して、「離す」操作とは、たとえば２本の指などを用いて操作パネル上の２点Ｑ１、Ｑ２を指定し、続いて、その位置から直線状または略直線状に指を遠ざけ、ある程度離れた位置である２点Ｑ’１、Ｑ’２で２本の指を操作パネルから離す操作を指す。
【００４４】
ＣＰＵは、操作パネル上の２点Ｑ１、Ｑ２が同時に指示され、さらに、それぞれの位置から連続して直線状または略直線状に位置が変化し、元の２点間の間隔よりも長い間隔である２点Ｑ’１、Ｑ’２で両指定がほぼ同時に解除されたことが検出されると、「離す」操作がなされたと検出する。
【００４５】
図７は、画像処理システムでの動作の流れを表わした図である。図７を用いて、画像処理システムでの動作の流れを説明する。
【００４６】
図７を参照して、ステップＳ１１で１つの携帯端末Ａ（たとえば携帯端末３００Ａ）においてメールソフトが起動され、ステップＳ１２でその宛先が入力され、ステップＳ１３で情報が添付された後、ステップＳ１４でメール画面上でのつまむ操作が検出されると、ステップＳ１５で入力された宛先を表わす情報である宛先情報、添付された情報（以下、添付情報）を含む情報が携帯端末Ａから予め記憶されているサーバーに対して送信される。
【００４７】
なお、以降の説明において、携帯端末Ａでのつまむ操作の検出に伴って携帯端末Ａからサーバーに送信される情報を「つまむ情報」とも称する。つまむ情報には、上述のように宛先情報および添付情報が含まれ、さらに、つまむ操作が検出された日時を特定する情報や、該メールの送信元を特定する情報や、携帯端末Ａに関連付けられているユーザー（たとえばログインユーザー等）を特定する情報などが含まれてもよい。
【００４８】
携帯端末Ａから送信された情報を受信したサーバーでは、ステップＳ２１でその情報を解析し、携帯端末Ａでのつまむ情報であると解析されると、ステップＳ２２でその情報をＭＦＰに対して送信する。
【００４９】
この情報を受信したＭＦＰは、該情報を解析し、ステップＳ３１で該つまむ情報に含まれる宛先情報に基づいてシェアリングリストを作成する。「シェアリングリスト」とは、情報を共有するユーザーのグループをリスト形式で特定する情報を指す。
【００５０】
そして、ステップＳ３２で該つまむ情報に含まれる添付情報を上記シェアリングリストに関連付けてメモリーの所定領域に格納し、ステップＳ３３で該つまむ情報に含まれる宛先情報に基づいて各宛先に対して情報の送信がなされていることを通知するメールを作成する。ここでのメールの作成方法の一例として、予め記憶しているフォーマットに宛先情報から特定される宛先と添付情報を特定する情報とを組み込む方法が挙げられる。
【００５１】
そして、ステップＳ３４で、その宛先である携帯端末Ｂ（たとえば携帯端末３００Ｂ）に対して通知するメールを送信する。そのとき、好ましくは、図７に示されたように、送信元の携帯端末Ａに対しても該メールを送信する。
【００５２】
このメールを受信した携帯端末Ｂでは、当該メールが画面表示される。ステップＳ４１でその画面において離す操作が検出されると、ステップＳ４２で携帯端末ＢからＭＦＰに対して添付情報の要求がなされる。このとき、携帯端末ＢからＭＦＰに対しては当該携帯端末Ｂを特定する情報や当該携帯端末Ｂに関連付けられているユーザー（たとえばログインユーザー）を特定する情報が認証情報として送信される。
【００５３】
ＭＦＰでは、その要求を受け取ると、ステップＳ３５でその要求に含まれる上記認証情報と上記ステップＳ３１で作成されたシェアリングリストとを用いて認証を行なう。そして、認証成功である場合、つまり、シェアリングリストに登録されたユーザーからの要求であった場合、ステップＳ３６で携帯端末Ｂに対して上記ステップＳ３２で記憶した添付情報を送信する。
【００５４】
携帯端末ＢはＭＦＰから添付情報を受信し、ステップＳ４３で画面表示される。
＜機能構成＞
図８は、上記動作を行なうための、携帯端末３００の機能構成の具体例を示すブロック図である。図８に示される各機能は、ＣＰＵ３０がＲＯＭ３１に記憶されるプログラムを読み出してＲＡＭ３２上で実行することで、主にＣＰＵ３０に処理される機能である。しかしながら、少なくとも一部の機能が図３に示されたハードウェア構成によって処理されてもよい。
【００５５】
図８を参照して、携帯端末３００は、操作パネル３４での指示を示す操作信号の入力を受け付けるための入力部３０１と、操作信号に基づいて上述のつまむ操作や離す操作を検出するための検出部３０２と、予めサーバー５００へのアクセス情報を記憶し、つまむ操作の検出に応じて上述のつまむ情報をサーバー５００に対して送信するための送信部３０５と、ＭＦＰ１００から情報を受信するための受信部３０６と、受信した情報に基づく画面を表示部としての操作パネル３４に表示するための表示部３０７と、予めＭＦＰ１００へのアクセス情報を記憶し、ＭＦＰ１００に対して必要な情報を送信して情報の送信を要求するための要求部３０８とを含む。
【００５６】
検出部３０２は、操作パネル３４からの操作信号を解析して操作パネル３４上で上述のつまむ操作がなされたことを検出すると、メールアプリケーションが実行中されてメール作成画面が表示されるか否かを図示しないアプリケーションを実行するための機能に問い合わせる。そして、メール画面上でのつまむ操作であると検出されると、該メール作成画面において入力されている宛先情報および添付情報を送信部３０５に渡す。
【００５７】
送信部３０５は、少なくともそれら情報をつまむ情報として、予め記憶しているサーバー５００に送信する。その他、つまむ操作が検出された日時を特定する情報や、該メールの送信元を特定する情報や、携帯端末Ａに関連付けられているユーザー（たとえばログインユーザー等）を特定する情報などをつまむ情報として送信してもよい。
【００５８】
なお、このとき、メール画面に添付された情報（ファイル）を表わすアイコンそれぞれについてつまむ操作がなされ、該操作の対象となった情報をつまむ情報として送信するようにしてもよい。この場合、検出部３０２は、つまむ操作がなされると該操作によって指定されたアイコンを特定し、該アイコンに関連した情報をつまむ情報として送信する添付情報として特定する。
【００５９】
検出部３０２は、つまむ操作の最初に指定された２点（図５の２点Ｐ１、Ｐ２）と最後に指定された２点（図５の２点Ｐ’１、Ｐ’２）との少なくとも一方に基づいて定義される範囲に表示されるアイコンを、つまむ操作で指定されたアイコンとして特定する。
【００６０】
検出部３０２での、つまむ操作によって指定されるアイコンを特定する方法は特定の方法に限定されない。図９〜図１３は検出部３０２でのつまむ操作によって指定されるアイコンを特定する方法の具体例を説明するための図である。
【００６１】
一例として検出部３０２は、図９に示されるように、最初に指定された２点Ｐ１、Ｐ２を対角とする矩形をつまむ操作で定義される範囲と特定し、その中に少なくとも一部が含まれるアイコンを指定されるアイコンとして特定してもよい。または、図１０に示されるように、最初に指定された２点Ｐ１、Ｐ２を対角とする矩形をつまむ操作で定義される範囲と特定し、その矩形内に完全に含まれるアイコンを指定されるアイコンとして特定してもよい。このように特定されることで、ユーザーは意図するアイコンを挟むように２本の指を操作パネルにタッチさせ、その状態からつまむ操作のための動作を行なうことで、当該意図するアイコンを直感的に指定することができる。また、アイコン画像が小さい場合であっても、正確に指定することが可能となる。
【００６２】
他の例として検出部３０２は、図１１に示されるように、最後に指定された２点Ｐ’１、Ｐ’２を対角とする矩形をつまむ操作で定義される範囲と特定し、その中に少なくとも一部が含まれるアイコンを指定されるアイコンとして特定してもよい。または、図１２に示されるように、最後に指定された２点Ｐ’１、Ｐ’２を対角とする矩形をつまむ操作で定義される範囲と特定し、その矩形内に完全に含まれるアイコンを指定されるアイコンとして特定してもよい。このように特定されることで、ユーザーは意図するアイコンが最後に２本の指の間に挟まれるように、それよりも広く離して２本の指を操作パネルにタッチさせた後に近づけることで、当該意図するアイコンを直感的に指定することができる。また、アイコン画像が小さい場合であっても、正確に指定することが可能となる。
【００６３】
他の例として検出部３０２は、図１３に示されるように、最初に指定された２点Ｐ１、Ｐ２から最後に指定された２点Ｐ’１、Ｐ’２までを結ぶ２本の線をつまむ操作で定義される範囲と特定し、いずれかの線が重なるアイコンを指定されるアイコンとして特定してもよい。このように特定されることで、ユーザーは意図するアイコンをつまむように２本の指を移動させることで、当該意図するアイコンを直感的に指定することができる。また、アイコン画像が小さい場合であっても、正確に指定することが可能となる。
【００６４】
図１４は、操作パネル３４に表示されたメール画面の具体例を表わす図である。図１４に表わされたように、ユーザーがメール画面上にてつまむ操作を実行すると、そのメールの宛先情報と添付情報とがメール画面から抽出されて、つまむ情報としてサーバー５００に送信される。または、図１４に表わされたように、メール画面の添付情報を表わすアイコンに対してつまむ操作が検出されることで、該アイコンで表わされた添付情報をつまむ情報として送信するようにしてもよい。
【００６５】
受信部３０６は、ネットワークコントローラー３６を介してＭＦＰ１００から通知メールを受信すると、その情報を表示部３０７に渡す。表示部３０７はその情報に基づいて、ＭＦＰ１００からのメールを表示部としての操作パネル３４に表示するための処理を実行する。
【００６６】
図１５は、通知メールの表示の具体例を表わす図である。図１５を参照して、通知メールでは、つまみ情報の送信元である携帯端末３００Ａのアドレスが送信元として通知され、さらに、つまむ操作がなされたメール画面において添付された情報がシェアー情報として通知される。
【００６７】
検出部３０２は、操作パネル３４からの操作信号を解析して操作パネル３４上で上述の離す操作がなされたことを検出すると、メールアプリケーションが実行されて受信メール画面が表示されるか否かを図示しないアプリケーションを実行するための機能に問い合わせる。そして、通知メールを表示する画面上での離す操作であると検出されると、その旨を表わす信号を要求部３０８に入力する。
【００６８】
要求部３０８は該信号の入力を受け付けると、予め記憶しているＭＦＰ１００にシェアー情報として通知された添付情報の送信を要求する。このとき、要求部３０８は、要求と共に、当該携帯端末３００を特定する情報や当該携帯端末３００に関連付けられているユーザー（たとえばログインユーザー）を特定する情報を認証情報として送信する。
【００６９】
図１６に表わされたように、通知メールの表示画面においてユーザーが離す操作を実行すると、そのメールの送信元であるＭＦＰ１００に対してシェアー情報として通知された添付情報の要求がなされると共に認証情報が送信される。
【００７０】
図１６は、上記動作を行なうための、ＭＦＰ１００の機能構成の具体例を示すブロック図である。図１６に示される各機能は、ＣＰＵ１０がＲＯＭ１１に記憶されるプログラムを読み出してＲＡＭ１２上で実行することで、主にＣＰＵ１０に処理される機能である。しかしながら、少なくとも一部の機能が図２に示されたハードウェア構成によって処理されてもよい。
【００７１】
図１６を参照して、ＭＦＰ１００は、ネットワークコントローラー１７を介してサーバー５００から携帯端末３００Ａからのつまむ情報を受信するための第１受信部１０１と、つまむ情報を解析してシェアリングリストを作成するための第１作成部１０２と、つまむ情報に含まれている添付情報を作成されたシェアリングリストに関連付けてメモリー１６の所定領域に一時的に格納するための格納部１０３と、予め記憶しているフォーマットを用いて、つまむ情報に含まれている宛先情報に基づいて通知メールを作成するための第２作成部１０４と、ネットワークコントローラー１７を介して通知メールを送信するための第１送信部１０５と、ネットワークコントローラー１７を介して携帯端末３００Ｂからの添付情報の送信要求を受信するための第２受信部１０６と、送信要求に含まれる認証情報とつまむ情報とを用いて認証を行なうための認証部１０７と、認証結果に応じて、つまむ情報に含まれる添付情報をネットワークコントローラー１７を介して要求元に対して送信するための第２送信部１０８とを含む。
【００７２】
シェアリングリストとは、複数のユーザーに対して添付情報を送信する際の該複数のユーザーのアクセス情報（アドレス）を規定したリストである。図１４の例の場合、送信先として「ａａａ＠ｃｏ．ｊｐ」、「ａａｂ＠ｃｏ．ｊｐ」、「ａａｃ＠ｃｏ．ｊｐ」、…が指定されている。この場合、第１作成部１０２はつまみ情報としてこれらアドレスを宛先情報として取得し、これらアドレス群を規定したリストをシェアリングリストとして作成する。
【００７３】
格納部１０３は、つまむ情報に含まれている添付情報を、作成されたシェアリングリストに関連付けてメモリー１６の所定領域に一時的に格納する。この「一時的」な期間はたとえば２４時間などと予め設定されており、その期間を経過しても携帯端末３００Ｂからの要求がなかった場合には、メモリー１６の所定領域から削除するようにしてもよい。さらに、メモリー１６の所定領域からの削除に替えて、または削除に加えて、要求がなされない旨を表わす警告を操作パネル１５に表示させてもよいし、その旨を表わすメッセージを宛先情報に含まれる各宛先に対して送信してもよい。
【００７４】
なお、好ましくは、第１作成部１０２は作成したシェアリングリストに対して固有の識別情報を付与してメモリー１６の所定領域に格納する。このようにすることで、次回から、該識別情報の指定を受け付けるだけで格納されたシェアリングリストに基づいて添付情報の送信先とする宛先情報を特定することができる。なお、この方法に関しては後に説明する。
【００７５】
第２作成部１０４は、格納された添付情報およびシェアリングリストに基づいて通知メールを作成し、上述の宛先情報に示されるそれぞれの宛先に対して送信する。具体例として、第２作成部１０４は予め図１５に示されるようなメールタイトルやメール本文などを含んだフォーマットを記憶しており、つまむ情報に含まれる送信元を表わす情報や添付情報を特定する情報（ファイル名等）を当該メール本文に組み込み、シェアリングリストに規定されるそれぞれの宛先情報を送信先に組み込み、通知メールを作成する。
【００７６】
認証部１０７は、携帯端末３００Ｂから添付情報の送信要求を受け取ると、メモリー１６の所定領域からシェアリングリストを読み出して、これらを認証する。一例として、該要求に含まれる認証情報としてのたとえばユーザー情報とシェアリングリストで規定される宛先情報とが一致する場合に認証成功とすることができる。
【００７７】
認証成功である場合、第２送信部１０８はメモリー１６の所定領域から添付情報を読み出し、上記要求元である携帯端末３００Ｂに対して送信する。
【００７８】
＜動作フロー＞
図１７は、携帯端末３００での動作の具体例を示すフローチャートである。図１７のフローチャートに示される動作は、ＣＰＵ３０がＲＯＭ３１に記憶されるプログラムを読み出してＲＡＭ３２上で実行し、図８の各機能を発揮させることによって実現される。
【００７９】
図１７を参照して、操作パネル３４においてつまむ操作が検出されると（ステップＳ１０３でＹＥＳ）、ＣＰＵ３０は操作パネル３４にメール作成画面が表示されており、かつ、その画面において宛先の入力および情報（ファイル）の添付が完了しているか否かを確認する。それらが完了している場合（ステップＳ１０５でＹＥＳ）、ステップＳ１０７でＣＰＵ３０は、サーバー５００に対してつまむ情報として、そのメール作成画面において入力されている宛先宛先情報および該メールの添付情報を含む情報を送信する。
【００８０】
一方、操作パネル３４において離す操作が検出されると（ステップＳ１０３でＮＯ、かつステップＳ１０９でＹＥＳ）、ＣＰＵ３０は、通知メールをＭＦＰ１００から受信した後であるか否かを確認する。好ましくは、該通知メールを表示する画面が操作パネル３４に表示されているか否かを確認する。通知メールを受信した後、または通知を表示する画面が表示されていることが確認されると（ステップＳ１１１でＹＥＳ）、ステップＳ１１３でＣＰＵ３０は、ＭＦＰ１００に対して添付情報の送信を要求する。このとき、ＣＰＵ３０は、予め規定されている当該携帯端末３００のユーザーを特定する情報などを認証情報として上記要求と共にＭＦＰ１００に対して送信する。
【００８１】
その後にＭＦＰ１００から情報を受信すると（ステップＳ１１５でＹＥＳ）、ステップＳ１１７でＣＰＵ３０は、受信した情報を操作パネル３４に表示するための処理を実行する。
【００８２】
図１８は、ＭＦＰ１００での動作の具体例を示すフローチャートである。図１８のフローチャートに示される動作は、ＣＰＵ１０がＲＯＭ１１に記憶されるプログラムを読み出してＲＡＭ１２上で実行し、図１６の各機能を発揮させることによって実現される。
【００８３】
図１８を参照して、携帯端末３００Ａから送信されたつまむ情報を取得すると（ステップＳ４０１でＹＥＳ）、ステップＳ４０３でＣＰＵ１０は、つまむ情報を解析して共有する情報である添付情報と宛先情報とを読み出す。
【００８４】
ステップＳ４０５でＣＰＵ１０は、読み出された宛先情報からシェアリングリストを作成する。ここでの作成方法は、つまむ情報に含まれる宛先情報をリスト形式に記載する方法であってもよいし、つまむ情報において宛先情報について宛先の種別（ＴＯ、ＣＣ、ＢＣＣ）が関連付けられている場合には、宛先の種別と関連付けて宛先情報をリスト形式で記載する方法であってもよい。また、このとき、好ましくはＣＰＵ１０は、シェアリングリストに固有情報を付与する。
【００８５】
ステップＳ４０７でＣＰＵ１０は、つまむ情報から読み出された添付情報を上記ステップＳ４０５で作成されたシェアリングリストに関連付けてメモリー１６の所定領域に格納する。
【００８６】
また、ステップＳ４０８でＣＰＵ１０は、つまむ情報に含まれる宛先情報に基づいて各宛先に対して情報の送信がなされていることを通知するメールを作成し、送信する。
【００８７】
その後、携帯端末３００Ｂから添付情報の要求を受け付けると（ステップＳ４０９でＹＥＳ）、ステップＳ４１１でＣＰＵ１０は記憶されているシェアリングリストを読み出し、該要求に含まれる認証情報を用いて認証を行なう。
【００８８】
このときの認証として、上記要求が添付情報を指定して該情報の送信を要求するものである場合、当該添付情報と関連付けて記憶されたシェアリングリストを読み出して、そのシェアリングリストに規定されている宛先と該要求を行なったユーザーとが一致するか否かを認証することが挙げられる。
【００８９】
この認証が成功すると（ステップＳ４１３でＹＥＳ）、ステップＳ４１５でＣＰＵ１０は、当該シェアリングリストと関連付けて記憶されている添付情報を読み出して、要求元である携帯端末３００Ｂに対して送信する。なお、このときの送信方法の他の例については、後に説明する。
【００９０】
または、上記要求が添付情報を指定せずに添付情報の送信を要求するものであってもよい。この場合、上記ステップＳ４１１でＣＰＵ１０は記憶されたシェアリングリストをすべて読み出してそれらに規定されている宛先と該要求を行なったユーザーとが一致するか否かを認証する。そして、認証成功の場合、ステップＳ４１５でＣＰＵ１０は、該要求を行なったユーザーと一致した宛先を含むシェアリングリストと関連付けられている添付情報を読み出して、要求元である携帯端末３００Ｂに対して送信する。
【００９１】
なお、この場合、該要求を行なったユーザーと一致した宛先を含むシェアリングリストが複数存在する場合、それぞれのシェアリングリストと関連付けられた添付情報を読み出して、すべてを要求元である携帯端末３００Ｂに対して送信してもよいし、その一覧を予め携帯端末３００Ｂに対して送信して、その中から選択を受け付けて選択された添付情報のみを送信するようにしてもよい。
【００９２】
＜実施の形態の効果＞
以上の動作が画像処理システムにおいて実行されることで、共有フォルダーを作成したり、各メンバーのアクセス権を設定したり、といった、煩雑な作業を不要として、操作パネル上のつまむ操作、離す操作といった、直感的で容易な操作によって指定されたユーザーの間で情報を共有することができる。
【００９３】
＜変形例１＞
上述の動作によって、ＭＦＰ１００ではつまむ情報に含まれた宛先情報に基づいてシェアリングリストが作成される。このシェアリングリストは、携帯端末３００Ａにおいて添付情報を共有しようとするユーザーが宛先情報として指定されることによって作成されるものである。
【００９４】
しかしながら、このシェアリングリストは、他の情報を共有する際にも用いられてよい。この場合、ＭＦＰ１００は作成されたシェアリングリストに上述のように識別情報を付与して記憶しておき、そのシェアリングリストの指定を受け付けることで、該リストに規定されたユーザーに情報を送信するようにする。
【００９５】
図１９は、このようなシェアリングリストの利用方法の一例を説明するための図である。
【００９６】
図１９を参照して、図１９（Ａ）のように携帯端末３００Ａの操作パネル３４にファイルを表わすアイコンが表示されている状態において当該アイコンを特定する操作（たとえば当該アイコンに対するつまむ操作やタップ操作等）によって、該アイコンで表わされる情報（ファイル）が処理対象のファイルと特定される。
【００９７】
このとき、ＣＰＵ３０は該ファイルに対する処理内容として、当該ファイルを開く処理に加えて、シェアリングリストに規定されたユーザーと当該ファイルを共有する処理を、メニューとして表示する。この表示は、図１９（Ｂ）に表わされたように、このファイルのアイコン近傍にポップアップ表示されるものであってもよいし、別画面で表示されるものであってもよい。
【００９８】
さらに、図１９（Ｂ）に示されるようにシェアリングリストを使用して当該ファイルを共有する処理として、使用するシェアリングリストを表示させてもよい。この場合ＣＰＵ３０は、ＭＦＰ１００に問い合わせて記憶されているシェアリングリストの固有情報を取得しておく。このタイミングは、予め規定されたタイミングであってもよいし、一定間隔でなされるものであってもよいし、図１９（Ａ）に表わされたようなファイルを表わすアイコンに対する操作がなされた時点であってもよい。
【００９９】
なお、この場合、好ましくは、ＭＦＰ１００は、当該携帯端末３００に関連付けられたユーザーのアドレスが宛先情報として含まれているシェアリングリストの固有情報を携帯端末３００に対して送信する。または、シェアリングリストに使用権限が設定されている場合、携帯端末３００Ａから当該携帯端末３００Ａに関連付けられているユーザーを特定する情報などが認証情報として送信され、ＭＦＰ１００において該認証情報を用いて認証成功した場合に、該当するシェアリングリストの固有情報を携帯端末３００Ａに対して送信するようにしてもよい。
【０１００】
携帯端末３００Ａにおいて図１９（Ｂ）に表わされた画面において用いるシェアリングリストが指定されるとＭＦＰ１００にその情報がつまむ情報として送信され、以降、ＭＦＰ１００および携帯端末３００Ｂにおいて同様の動作が行なわれることで操作対象とされたファイルが該リストに規定されたユーザーで共有される。つまり、既存のシェアリングリストを指定することで宛先の指定を省略することができる。選択されたシェアリングリストの固有情報は、共有する情報と共にＭＦＰ１００へ送信される。
【０１０１】
図２０は、この場合の携帯端末３００での動作の具体例を示すフローチャートである。図２０では、特に、つまむ操作に関する動作について表わされている。
【０１０２】
図２０を参照して、操作パネル３４においてつまむ操作が検出され（ステップＳ２０１でＹＥＳ）、さらに、つまむ操作の対象とされたファイルに対する処理としてシェアリングリストを使用して該ファイルの共有を行なう処理が選択された場合（ステップＳ２０３でＹＥＳ）、ステップＳ２０５でＣＰＵ３０は、ＭＦＰ１００に対して記憶しているシェアリングリストの固有情報を要求する。ここで、必要に応じてＣＰＵ３０はＭＦＰ１００に対して認証情報を送信してもよい。
【０１０３】
ＭＦＰ１００からシェアリングリストの固有情報を受信すると、ステップＳ２０７でＣＰＵ３０は、該固有情報を選択可能に表示する。そして、その中から使用するシェアリングリストの選択を受け付けると（ステップＳ２０９でＹＥＳ）、ステップＳ２１１でＣＰＵ３０は、サーバー５００に対してつまむ情報として、つまむ操作で特定されたファイルを添付情報、選択されたシェアリングリストを宛先情報として送信する。
【０１０４】
なお、以上の例では、メールアプリケーションを実行させることなくファイルの共有を指示する例であるが、上述の例と同様にメール作成画面においてシェアリングリストを利用するようにしてもよい。
【０１０５】
その一例として、たとえば、メール作成画面において情報が添付された後に該画面においてつまむ操作が検出されるとＭＦＰ１００に対してシェアリングリストを要求し、選択されたリストに規定されたユーザーをメールの宛先として自動的に入力するようにしてもよい。
【０１０６】
このような動作が行なわれることで、上述のようにしていったんＭＦＰ１００においてシェアリングリストが作成されると、その後、携帯端末３００において当該シェアリングリストを利用して容易に、かつ直感的な操作で情報を共有することができる。
【０１０７】
なお、さらに他の例として、ＭＦＰ１００で作成されて記憶されたシェアリングリストを、携帯端末３００での操作によって編集するようにしてもよい。
【０１０８】
図２１は、その場合の携帯端末３００での動作の具体例を表わすフローチャートである。
【０１０９】
図２１を参照して、携帯端末３００の操作パネル３４においてつまむ操作が検出されると（ステップＳ３０１でＹＥＳ）、ステップＳ３０３でＣＰＵ３０はＭＦＰ１００に対してシェアリングリストを要求する。このとき、必要に応じてＣＰＵ３０はＭＦＰ１００に対して認証情報を送信してもよい。
【０１１０】
ＣＰＵ３０はＭＦＰ１００からシェアリングリストを受信すると、ステップＳ３０５で該シェアリングリストを操作パネル３４に編集可能に表示する。ここでの編集とは、たとえばシェアリングリストに含まれるアドレスの削除や追加や変更などが挙げられる。
【０１１１】
そして、操作パネル３４において該シェアリングリストの編集を受け付けると（ステップＳ３０７でＹＥＳ）、ステップＳ３０９でＣＰＵ３０は、編集後のシェアリングリストの情報をＭＦＰ１００に対して送信する。
【０１１２】
ＭＦＰ１００では受信した編集後のシェアリングリストで記憶されているシェアリングリストを上書きすることで、該シェアリングリストが更新される。
【０１１３】
＜変形例２＞
なお、上の説明では携帯端末３００Ａにおいてつまむ操作が行なわれることで、携帯端末３００Ａで指定された情報が共有されるものとしている。しかしながら、共有を指定する装置は携帯端末３００に限定されず、他の装置であってよい。
【０１１４】
一例としてＭＦＰ１００である場合、ＭＦＰ１００は図８に表わされた機能と同様の機能を備える。
【０１１５】
この場合、ＭＦＰ１００の図示しない原稿台に原稿が搭載された後に、操作パネル１５に表示されたスキャン動作の実行を指示するためのアイコンに対してつまむ操作が行なわれると、ＭＦＰ１００は自動的に該原稿をスキャンして画像データーを取得し、その画像データーを添付情報としたメールを作成する。
【０１１６】
また、他の例として、ボックスと呼ばれる記憶領域に記憶されたファイルを表わすアイコンが表示された操作パネル１５の画面においてつまむ操作が行なわれると、ＭＦＰ１００は対象のファイルを読み出し、そのファイルを添付情報としたメールを作成する。
【０１１７】
また、ＭＦＰ１００は記憶しているシェアリングリストを読み出し、該リストに規定されている宛先情報を上記メールの宛先として入力する。なお、シェアリングリストが複数記憶されている場合、選択可能に操作パネル１５に表示し、その中から利用するシェアリングリストの選択を受け付けてもよい。また、シェアリングリストが携帯端末３００に記憶されている場合、ＭＦＰ１００は上記つまむ操作を受けて、携帯端末３００に対してシェアリングリストを要求するようにしてもよい。
【０１１８】
＜変形例３＞
上の例では、シェアリングリストに規定される宛先情報からの要求に応じて指定された情報が送信されるものとしている。
【０１１９】
他の例として、シェアリングリストにおいて、ユーザーごとの共有する情報に対する処理権限が規定されてもよい。一例として、宛先としてＴＯで指定された宛先に対しては情報の書き換えを許可し、ＣＣで指定された宛先に対しては該情報の名前の変更のみを許可し、ＢＣＣで指定された宛先に対しては該情報の閲覧のみ許可し書き換えを不許可とする権限を与えることが挙げられる。
【０１２０】
この場合ＭＦＰ１００は、予めシェアリングリストに規定される権限と送信方法との対応を記憶しており、指定されたシェアリングリストで規定された権限に応じた送信方法で添付情報を送信する。
【０１２１】
一例として、ＭＦＰ１００は、シェアリングリストにおいてＴＯで指定された宛先に対しては添付情報を書き換え可能として送信し、ＣＣで指定された宛先に対しては名前の書き換えのみ可能として送信し、ＢＣＣで指定された宛先に対しては閲覧のみ可能として送信することが挙げられる。さらに、ＢＣＣで指定された宛先に対しては、添付情報をたとえばＰＤＦ形式に変換して送信したり、ファクシミリ送信したりすることも挙げられる。
【０１２２】
なお、同様の権限は、上記変形例１で説明されたシェアリングリストの編集にも応用される。一例として、シェアリングリストにおいてＴＯで指定された宛先とされたユーザーのみ編集可能とすることが挙げられる。
【０１２３】
この場合、シェアリングリストの編集を受け付ける際に、携帯端末３００またはＭＦＰ１００は編集対象のシェアリングリストを用いて編集操作を行なうユーザーのユーザー認証を行なう。そして、ＴＯで指定された宛先とされたユーザーである場合のみ、その編集を受け付けるようにしてもよい。
【０１２４】
さらに、上述の動作を携帯端末３００やＭＦＰ１００で実行させるためのプログラムを提供することもできる。このようなプログラムは、コンピューターに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピューター読み取り可能な記録媒体にて記録させて、プログラム製品として提供することもできる。あるいは、コンピューターに内蔵するハードディスクなどの記録媒体にて記録させて、プログラムを提供することもできる。また、ネットワークを介したダウンロードによって、プログラムを提供することもできる。
【０１２５】
なお、本発明にかかるプログラムは、コンピューターのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１２６】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１２７】
提供されるプログラム製品は、ハードディスクなどのプログラム格納部にインストールされて実行される。なお、プログラム製品は、プログラム自体と、プログラムが記録された記録媒体とを含む。
【０１２８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１２９】
１０，３０，５０  ＣＰＵ、１１，３１，５１  ＲＯＭ、１２，３２，５２  ＲＡＭ、１３  スキャナー、１４  プリンター、１５，３４  操作パネル、１６，３３  メモリー、１７，３６，５４  ネットワークコントローラー、３５  通信コントローラー、１００  ＭＦＰ、１０１  第１受信部、１０２  第１作成部、１０３  格納部、１０４  第２作成部、１０５  第１送信部、１０６  第２受信部、１０７  認証部、１０８  第２送信部、３００，３００Ａ，３００Ｂ  携帯端末、３０１  入力部、３０２  検出部、３０５  送信部、３０６  受信部、３０７  表示部、３０８  要求部、５００  サーバー、７００  アクセスポイント。
【図１】
2013016067.tif 000003
【図２】
2013016067.tif 000004
【図３】
2013016067.tif 000005
【図４】
2013016067.tif 000006
【図５】
2013016067.tif 000007
【図６】
2013016067.tif 000008
【図７】
2013016067.tif 000009
【図８】
2013016067.tif 000010
【図９】
2013016067.tif 000011
【図１０】
2013016067.tif 000012
【図１１】
2013016067.tif 000013
【図１２】
2013016067.tif 000014
【図１３】
2013016067.tif 000015
【図１４】
2013016067.tif 000016
【図１５】
2013016067.tif 000017
【図１６】
2013016067.tif 000018
【図１７】
2013016067.tif 000019
【図１８】
2013016067.tif 000020
【図１９】
2013016067.tif 000021
【図２０】
2013016067.tif 000022
【図２１】
2013016067.tif 000023